(57)【要約】  電気コネクタ(３)から延出するケーブル(２)を挟持するためのクランプ(１)は、コネクタ(３)の絶縁ケーシング(４)に取り付けられ、しかも二つのあご部(２１,２２)を有する。あご部(２１,２２)は、見掛けのヒンジ(２３)によって連結され、開状態と閉状態との間で回動するようになっている。しかも、あご部(２１,２２)と一体の保持機構(４９)によって閉状態で維持される。クランプ(１)はまた、見掛けのヒンジ(２３)から離れて、あご部(２１,２２)間に介在させられ、かつ開状態へと、あご部(２１,２２)を押しやるよう、あご部(２１,２２)に弾性スラストを加える弾性分離機構(３０)を有する。
2007510264.tif 000002
【特許請求の範囲】
【請求項１】
電気コネクタ(３)から延出するケーブル(２)を挟持するためのクランプ(１)であって、
分離開状態と、前記ケーブル(２)を挟持する閉状態との間で互いに可動である二つのあご部(２１,２２)と、
前記電気コネクタ(３)の絶縁ケーシング(４)に対してクランプ(１)を取り付ける取付け手段(２４)と、
前記あご部(２１,２２)を前記閉状態で保持するために設けられた保持手段(４９)と、を具備してなり、
前記保持手段(４９)は前記あご部(２１,２２)と一体に形成されていることを特徴とするクランプ(１)。
【請求項２】
ヒンジ軸線(Ｃ)を中心として、前記開状態と前記閉状態との間で、前記あご部(２１,２２)が回動するのを可能にするヒンジ(２３)と、
前記ヒンジ(２３)から離間して前記あご部(２１,２２)同士の間に介在させられ、かつ前記あご部を前記開状態へと押しやるよう前記あご部(２１,２２)に弾性スラストを加える弾性分離手段(３０)と、をさらに具備してなることを特徴とする請求項１に記載のクランプ。
【請求項３】
前記ヒンジ(２３)は、前記取付け手段(２４)の一部を形成している弾性変形可能な部分(２４)を具備してなることを特徴とする請求項２に記載のクランプ。
【請求項４】
前記弾性分離手段(３０)は前記あご部(２１,２２)と一体に形成されていることを特徴とする請求項２または請求項３に記載のクランプ。
【請求項５】
前記弾性分離手段(３０)および前記ヒンジ(２３)は、協同で、互いに共軸でありかつ前記ヒンジ軸線(Ｃ)に沿って離間した二つの弾性変形可能なリング(３３)を形成しており、前記あご部(２１,２２)は前記リング(３３)から突出していることを特徴とする請求項４に記載のクランプ。
【請求項６】
前記リング(３３)のそれぞれは、前記ヒンジ軸線(Ｃ)を含む、クランプ(１)の中央平面に関して対称であることを特徴とする請求項５に記載のクランプ。
【請求項７】
前記ヒンジ(２３)は、前記あご部(２１,２２)同士の間の中間位置に形成された開口部(２８)を有する円形座(２６)を形成している、関連する円弧状部分(２４)を、前記リング(３３)のそれぞれについて具備してなることを特徴とする請求項６に記載のクランプ。
【請求項８】
前記弾性分離手段(３０)は、前記リング(３３)のそれぞれに関して、先端(３５)においてつながった一対の円弧状枝部(３４)を具備してなることを特徴とする請求項６または請求項７に記載のクランプ。
【請求項９】
前記先端(３５)は、前記ヒンジ(２３)から離れる方向を向いていることを特徴とする請求項８に記載のクランプ。
【請求項１０】
前記保持手段(４９)は、クリック式結合機構(４９)を具備してなることを特徴とする請求項１ないし請求項９のいずれか１項に記載のクランプ。
【請求項１１】
前記保持手段(４９)は、
前記あご部の一方(２１)と一体となった少なくとも一つのフック(５０)と、
前記あご部の他方(２２)に形成されかつ前記閉状態においては前記フック(５０)と係合する少なくとも一つの対応する保持座(５５)と、を具備してなることを特徴とする請求項１０に記載のクランプ。
【請求項１２】
前記あご部(２１,２２)は、側方アーム(３７,３８)の個々の対と、前記ケーブル(２)を挟持するための互いに向き合う、前記ヒンジ軸線(Ｃ)と平行な個々の中間部分(４０,４１)と、を具備してなると共に、
前記保持手段(４９)は、前記関連する中間部分(４０)の両端において、前記あご部の一方(２１)に配置された二つの前記フック(５０)と、前記関連する中間部分(４１)の両端において、前記あご部の他方(２２)に形成された二つの対応する保持座(５５)と、を具備してなることを特徴とする請求項１１に記載のクランプ。
【請求項１３】
前記中間部分(４０,４１)の少なくとも一方は、前記ヒンジ軸線(Ｃ)に垂直な複数の溝(４７)を有することを特徴とする請求項１２に記載のクランプ。
【請求項１４】
前記中間部分の少なくとも一方(４０)は、前記ヒンジ軸線(Ｃ)と平行な歯部(４４)を具備してなると共に、前記中間部分の他方(４１)は前記閉状態において前記歯部(４４)と係合する長尺な凹部(４６)を具備してなることを特徴とする請求項１２または請求項１３に記載のクランプ。
【請求項１５】
電気コネクタ(３)であって、
絶縁ケーシング(４)と、
前記絶縁ケーシング(４)から延出する複数のケーブル(２)と、
前記ケーブル(２)を挟持すると共に、前記絶縁ケーシング(４)に対して取り付けられるクランプ(１)と、を具備してなり、
前記クランプ(１)は、請求項１ないし請求項１４のいずれか１項に記載のものであることを特徴とする電気コネクタ(３)。
【請求項１６】
前記クランプ(１)を前記絶縁ケーシング(４)に対して回転式に取り付けるためのヒンジ手段(１７)をさらに具備してなることを特徴とする請求項１５に記載の電気コネクタ。
【請求項１７】
前記絶縁ケーシング(４)は、前記クランプ(１)の部分(３５)と少なくとも部分的に係合する関連手段(１９)を具備し、この関連手段(１９)は、前記クランプ(１)の、前記絶縁ケーシング(４)に対する角度固定状態を維持するようになっていることを特徴とする請求項１６に記載の電気コネクタ。
【請求項１８】
前記クランプ(１)は、前記あご部(２１,２２)同士の間に介在させられかつ前記あご部(２１,２２)を前記開状態へと押しやるよう前記あご部に弾性スラストを加える弾性分離手段(３０)を具備してなり、前記関連手段(１９)は前記弾性分離手段(３０)と係合する少なくとも一つの関連座(１９)を具備してなることを特徴とする請求項１７に記載の電気コネクタ。
【発明の詳細な説明】
【技術分野】
【０００１】
本発明は、特に自動車関連用途で使用されるタイプの電気コネクタから延出するケーブルを挟持するためのクランプに関する。
【背景技術】
【０００２】
周知のとおり自動車産業では、既定の方向に互いに取り付けられた二つの相補的コネクタを具備してなる電気接続ユニットが使用されている。各コネクタは、通常、絶縁ケーシングを具備してなる。このケーシングは、コネクタを相補的コネクタに対して接続する方向と平行な軸線を有しかつ使用時には相補的コネクタの端子に電気的に接続される個々の電気端子を収容する多数の空隙を形成している。
【０００３】
端子は弾性保持ランスによって、それぞれの空隙内で保持され、かつ端壁を経て上記絶縁ケーシングから延出するそれぞれの電気ケーブルに対して接続される。
【０００４】
さまざまな公知の解決手段においては、絶縁ケーシングの外部のケーブルの一部を二つのあご部間で挟持し、これによってケーブルを適所に保持し、かつ使用中の振動、組立て時の不正確さ、あるいは過度の引張り、および／または組立て後にケーブルに作用する過度の引張り力によって、端子の電気的接触が、したがって車両の信号伝送および／または電力供給が損なわれるのを防止している。あご部が堅固に噛み合った状態を維持するためにスライド体が設けられ、これは、あご部の上をスライドすると共に、たとえばカムすなわち斜面カップリングによって、あご部をケーブルに対して押し付ける。
【０００５】
上記タイプの公知の解決策は満足できるものではない。なぜなら、あご部およびスライド体を使用するタイプのものは、絶縁ケーシングの端壁に隣接して、かなり大きな空間を占有し、しかも主として、あご部に対しスライド体をスライドさせかつそれをあご部に押し付けるのに締結時間を要するからである。
【０００６】
その上、上記タイプの公知の解決策を用いても、コネクタおよび電気システムを車両に対して組付けるとき、作業者は、スライド体の適切な取付け状態を、あるいは、あご部によるケーブルの正確な挟持状態を常に判定できるとは限らない。なぜなら、あご部および挟持されるケーブル部は、スライド体によって隠れてしまうからである。
【発明の開示】
【発明が解決しようとする課題】
【０００７】
本発明の目的は、電気コネクタから延出するケーブルを挟持するためのクランプであって、上記問題に対する簡単で低コストな解決手段をもたらすよう構成されたクランプを提供することである。
【課題を解決するための手段】
【０００８】
本発明によれば、電気コネクタから延出するケーブルを挟持するためのクランプが提供される。このクランプは、分離開状態と上記ケーブルを挟持する閉状態との間で互いに可動である二つのあご部と、上記電気コネクタの絶縁ケーシングに対して上記クランプを取り付けるための取付け手段と、上記閉状態で上記あご部を保持するために設けられた保持手段とを具備してなり、上記保持手段が上記あご部と一体に形成されていることを特徴とする。
【０００９】
本発明はまた電気コネクタに関するものである。
【００１０】
本発明によれば、請求項１５に記載された電気コネクタが提供される。
【発明を実施するための最良の形態】
【００１１】
添付図面を参照し、例証として、本発明の非限定的実施形態について説明する。
【００１２】
添付図面における数字１は、電気コネクタ３(一部を示す)から延出するケーブル２を挟持するためのクランプを指し示している。
【００１３】
図５に関して、コネクタ３は、使用時に相補的コネクタ(図示せず)と係合する前部空隙５と、多数の平行な並列チャネル６(一つだけ示す)とを形成している絶縁ケーシング４を具備してなる。この並列チャネル６は空隙５とつながっており、上記相補的コネクタに対するコネクタ３の長手接合方向に対して平行な個々の軸線Ａを有し、そしてケーシング４の後部８に形成された個々の開口部７から覗いている。
【００１４】
チャネル６は、詳しくは説明しない公知の手法で、ケーシング４に位置固定状態で接合される個々の公知の雄電気端子９を収容し、しかもそのそれぞれは、空隙５の内部に突出するブレード型末端接触部１０、および個々の電気ケーブル２に対する接続のための接続部１１を具備してなる。
【００１５】
ケーブル２は、上記部分８から、それぞれの端子９に対して平行な方向に、開口部７を経て延在し、しかもケーシング４の外側にあってクランプ１によって挟持される個々の部分１３を具備してなる。
【００１６】
図３に関して、部分８は二つの平行な側面１４(一つだけ示す)を具備してなり、そのそれぞれから、一対の付加物１５,１６と、チャネル６および開口部７の軸線Ａを含む平面Ｐ(図５および図６)に沿って付加物１５,１６間に介在させられた円筒形ピン１７とが一体的に突出している。この二つのピン１７は、平面Ｐ内に存在する軸線に沿って同軸上に存在する。付加物１５は上記部分８の端縁部に配置され、平面Ｐに関して対称な形状を有し、しかもピン１７に面するＶ形座１９を具備している。そして付加物１６は、ピン１７に面しかつそれと共軸な、それぞれの凹状面２０を具備している。
【００１７】
添付図面に関して、ピン１７がヒンジを形成し、クランプ１はそれを中心として回動するよう配されている。さらに詳しく言うと、クランプ１は好ましくはプラスチック素材から一体部材として形成されており、しかも見掛けのヒンジ２３によってつながった二つのあご部２１,２２を具備してなる。このヒンジ２３は、ピン１７の軸線と平行な軸線Ｃに沿って互いに離間しかつ互いに同軸上に位置する二つの円弧状部分２４によって形成されている。上記部分２４は、ピン１７と面２４との間の収まり、ピン１７と半径方向に緩く係合する実質的に円形のそれぞれの座２６を形成し、あご部２１,２２間のそれぞれの中間開口部２８を形成する端部２７を有し、そしてあご部２１,２２が互いに軸線Ｃを中心として分離開状態(図６)とケーブル２の一部１３を挟持する閉状態(図７)との間で回動することを可能にするよう弾性変形可能となっている。
【００１８】
クランプ１はさらに弾性分離機構３０を具備してなり、これは、あご部２１,２２間に介在させられ、軸線Ｃに対して垂直な方向にヒンジ２３から離間し、そしてあご部２１,２２を開状態へと押しやるよう、このあご部２１,２２に弾性スラストを加える。機構３０は二つの弾性変形可能な部分３１を具備してなる。この弾性変形可能な部分３１は、軸線Ｃと平行な方向に整列すると共に離間し、上記部分２４と一体であり、そしてこの部分２４と協同で、軸線Ｃを含むクランプ１の中央面に関して対称な形状となった二つの弾性変形可能なリング３３を形成するよう、端部２７から延在しかつ開口部２８に面している。
【００１９】
上記部分３１は尖頭アーチ形をなしており、しかも円弧状となった、それぞれの先端３５においてつながっている外側に凸な枝部すなわちブレード３４のそれぞれの対を具備してなる。この先端３５はヒンジ２３から離れる方向を向き、しかも少なくとも部分的に座１９と係合し、クランプ１を角度固定基準状態で維持する。この状態では、あご部２１,２２は平面Ｐに関して対称的な位置に置かれる。
【００２０】
図１、図２および図５に関して、あご部２１,２２はＵ字形をなしており、しかもそれぞれがリング３３と一体となった二つの側方アーム３７,３８を具備している。各あご２１,２２のアームは端部２７から延在し、互いに平行であり、そして作業者が容易に手で押圧できるよう、少なくとも部分的にギザギザになった、すなわちうねった、それぞれの背面３９を有する。
【００２１】
あご部２１,２２はさらに、それぞれの中間部分４０,４１を具備してなり、これは、軸線Ｃと平行な方向、すなわちケーブル２に対して垂直な方向に、アーム３７,３８の端部間において延在し、しかも上記部分１３を挟持するための向き合う、それぞれの面４２,４３を有する。面４２は軸線Ｃと平行な三角形断面の歯部４４を有し、一方、面４３は、軸線Ｃと平行で、かつその間に、歯部４４に対して相補的であって、しかもあご部２１,２２が閉状態にあるときには歯部４４と係合する凹部４６を形成する、二つの歯部４５を有する。歯部４４,４５は軸線Ｃに対して垂直な多数の溝４７を有し、これによって軸線Ｃと平行な方向におけるケーブル２の位置決めおよび保持がなされる。
【００２２】
図６および図７に関して、簡便なクリック式保持機構４９が、あご部２１,２２を閉状態で保持するために設けられており、しかもこの保持機構４９は二つのフック５０を具備してなる。フック５０は、あご部２１と一体であり、上記部分４０の両端においてアーム３７の延在部をなしており、先端３５に面し、そしてアーム３８に面するそれぞれの凸状面５１と、アーム３７に面しかつアーム３７と実質的に平行なそれぞれの平坦な保持面５２とによって形成されている。
【００２３】
機構４９はさらに二つの座５５を具備してなり、この座５５は、あご部２２における、上記部分４１の両端に形成され、フック５０に対して相補的なものであり、しかも上記閉状態においては、それぞれの面５２に着座する、それぞれの平坦な保持面５６を有する。各座５５の面５６は歯部５８によって形成され、この歯部５８は閉状態(図７)において、関連する面５２と、関連するアーム３７との間の間隙５９と係合し、しかもあご部２１,２２が閉じるときに、関連するフック５０の面５１に対してスライドする、湾曲した凸状面６０を有する。
【００２４】
クランプ１をケーシング４に取り付けるためには(図３)、クランプ１を形成している素材の可撓性を利用して、リング３３を軸線Ｃに沿って僅かに離間させ、クランプ１を上記部分８に対して長手方向に嵌め込み、座２６をピン１７に沿って位置させ、そして上記部分２４がピン１７と面２０との間に嵌まりかつ先端３５が座１９内に嵌まるようアーム３７,３８を自由にする。
【００２５】
ケーブル２を挟持するには(図７)、リング３３の弾性分離力とは反対方向に背面３９を手で押圧し、面６０を面５１に沿ってスライドさせ、そしてフック５０を座５５内に、歯部５８を間隙５９内にカチッと嵌め込むことで、あご部２１,２２を一つにする。
【００２６】
機構４９が適切にロックしない場合、上記部分３１があご部２１,２２を跳ね開け、これによって作業者は不適切な挟持状態を視覚および触覚の両方から知ることができる。
【００２７】
上記説明から明白であるように、ケーシング４の部分８に近接したクランプ１が占有する空間は比較的小さなものである。なぜなら、機構４９はあご部２１,２２と一体であり、しかもあご部２１,２２を閉状態で維持するのに付加的保持体を必要としないからである。
【００２８】
さらにケーブル２は、他には操作すべき保持体が存在せず、しかもあご部２１,２２はアーム３７,３８を単に押圧するだけでカチッと一つに結合されるので極めて迅速に挟持される。
【００２９】
あご部２１,２２の正確な閉締およびケーブル２の挟持は、機構４９および部分４０,４１がコネクタ３の他の部分によって隠されず、しかも機構３０は挟持状態が不適切な場合にあご部２１,２２を跳ね開けるので特定するのがかなり容易である。
【００３０】
クランプ１はまた比較的構造が簡単である。なぜなら、ヒンジ２３および機構３０がさらに、あご部２１,２２の、ケーシング４に対する取付け、ならびにクランプ１の、ケーシング４に対する固定基準状態での保持をそれぞれもたらすからである。
【００３１】
その上、面４２,４３の上記構成によって、いったん、あご部２１,２２が閉じると、堅固な挟持状態およびケーブル２の安定した位置決め状態がもたらされる。
【００３２】
明らかに、但し本発明の範囲から逸脱することなく上記クランプ１を改変できる。
【００３３】
特に、二つの離間したフック５０とは対照的に、単一のロックあるいは保持部材を設けることができ、これはおそらく例として示したものとは異なる位置に配置されることになる。
【００３４】
あるいは、あご部２１,２２の中間部分４０,４１が特別に長尺なものである場合、二つの端部フック５０に加えて、その間に介在させられる、さらなるロックすなわち保持機構を設けることができる。
【００３５】
クランプ１は、ケーシング４に対して、図示する以外の方法で、たとえばケーシング４の個々の座と係合する歯部によって接合可能であり、かつ／または、あご部２１,２２の少なくとも一つはケーシング４と一体であってもよい。
【００３６】
あご部２１,２２はヒンジ２３以外のものによって、但しやはり開状態と閉状態との間で回動するかあるいは平行移動するように互いに連結可能であり、かつ／または軸線Ｃはケーブル２と交差するのではなく、それと平行であってもよい。
【００３７】
最後に、機構３０は上記部分３１とは異なる弾性変形可能な部分、および／または、あご部２１,２２とは別体の弾性部材からなっていてもよい。
【図面の簡単な説明】
【００３８】
【図１】本発明に従った、電気コネクタから延出するケーブルを挟持するためのクランプの好ましい実施形態の斜視図である。
【図２】本発明に従った、電気コネクタから延出するケーブルを挟持するためのクランプの好ましい実施形態の別な視点からの斜視図である。
【図３】本発明によるクランプの、電気コネクタの絶縁ケーシングへの組付けを示す斜視図である。
【図４】本発明によるクランプの、電気コネクタの絶縁ケーシングへの組付けを示す斜視図である。
【図５】図４の電気コネクタを、分かりやすくするために一部を除去した状態で示す断面図である。
【図６】図５の電気コネクタおよび開状態にあるクランプの部分的側面図である。
【図７】図５の電気コネクタおよび閉状態にあるクランプの部分的側面図である。
【符号の説明】
【００３９】
１  クランプ
２  ケーブル
３  電気コネクタ
４  絶縁ケーシング
５  空隙
６  チャネル
７  開口部
８  ケーシング後部
９  雄電気端子
１０  ブレード型末端接触部
１１  接続部
１３  クランプによって挟持される部分
１４  側面
１５,１６  付加物
１７  円筒形ピン
１９  Ｖ形座
２０  凹状面
２１,２２  あご部
２３  ヒンジ
２４  円弧状部分
２６  座
２７  端部
２８  開口部
３０  弾性分離機構
３１  弾性変形可能な部分
３３  弾性変形可能なリング
３４  ブレード
３５  先端
３７,３８  アーム
３９  背面
４０,４１  中間部分
４２,４３  面
４４,４５  歯部
４６  凹部
４７  溝
４９  クリック式保持機構
５０  フック
５１  凸状面
５２  保持面
５５  座
５６  保持面
５８  歯部
５９  間隙
６０  凸状面
【図１】
2007510264.tif 000003
【図２】
2007510264.tif 000004
【図３】
2007510264.tif 000005
【図４】
2007510264.tif 000006
【図５】
2007510264.tif 000007
【図６】
2007510264.tif 000008
【図７】
2007510264.tif 000009
【国際調査報告】
2007510264.tif 000010
2007510264.tif 000011